(57)【特許請求の範囲】
【請求項１】
足場材における水平方向に延びたシャフトの端部に取り付けられ下方へ突出する楔状の緊結部に装着される足場材安全カバーであって、
緩衝部材で形成され、緊結部の長手方向に沿った外周全体を覆う円筒状の被覆部と、
該被覆部の外周面から該被覆部の内部空間まで貫通し、緊結部が通過可能とされていると共に緊結部が取り付けられたシャフトを嵌入可能な挿通孔と
を備え、
前記被覆部は、
円筒状の両端部が開口していると共に、緊結部に装着した状態で、一方の端部が緊結部の楔の先端よりも延び出していることを特徴とする足場材安全カバー。
【請求項２】
前記被覆部の厚さを、５〜２０ｍｍの範囲内としていることを特徴する請求項１に記載の足場材安全カバー。
【発明の詳細な説明】
【技術分野】
【０００１】
本発明は、足場材安全カバーに関するものであり、詳しくは、足場材における楔状の緊結部に装着され、作業者の安全を確保する足場材安全カバーに関するものである。
【背景技術】
【０００２】
従来から、家屋等の建築現場では、建築物の外周に仮設足場を構築し、仮設の作業床や通路を形成している。この仮設足場の構築は一般的に高所にまで及ぶため、些細なことでも転落等の事故につながる可能性があり、例えば、転落防止等を考慮した足場が提案されている（例えば、特許文献１参照）。
【０００３】
この仮設足場の一種として、建築物の形状や状況に合わせて盛り替えや組み替えが容易に行え、また、足場の構築、解体作業を短時間で完了できる楔緊結式足場が知られている（例えば、特許文献２参照）。この足場を構築する主な部材には、立設される支柱、水平に支持される水平材、支柱の土台となる脚部材、作業場や通路を形成する踏板等がある。支柱の外周面には、上面が開口する箱形状のポケット部が複数備えられている。また、水平材には、水平方向に延びたシャフトの両端に下方へ突出する楔形状の緊結部が取り付けられている。この足場の構築は、所定間隔で立設された支柱のポケット部に水平材の楔状の緊結部を差し込むことで、支柱同士を水平材で連結し、さらに水平材に踏板を支持させることで通路等を形成することができ、これらの部材を適宜組み合わせることによって、建築現場に応じた足場の構築を可能としている。
【０００４】
水平材は、両端の楔状の緊結部を夫々支柱のポケット部に差し込むことで、両持ち構造としているが、建築現場の状況に応じては、片側だけをポケット部に差し込んだ片持ち構造として使用される場合がある。
【発明の概要】
【発明が解決しようとする課題】
【０００５】
しかしながら、上述した水平材を片持ち構造で使用した場合は、緊結されない側の楔状の緊結部が下向きに突出する状態となっていた。そのため、作業者が楔状の緊結部に当たって怪我をするおそれがあった。また、露出した楔状の緊結部に気付かずに、建築資材等を当てて、破損させてしまうおそれがあった。
【０００６】
そこで、本発明は上記実情に鑑み、楔緊結式足場における露出した楔状の緊結部によって生じる作業者が怪我をしたり、建築資材等が破損したりするのを防ぐ足場材安全カバーを提供することを課題とするものである。
【課題を解決するための手段】
【０００７】
上記の課題を解決するため、本発明の足場材安全カバーは、「足場材における水平方向に延びたシャフトの端部に取り付けられ下方へ突出する楔状の緊結部に装着される足場材安全カバーであって、緩衝部材で形成され、緊結部の長手方向に沿った外周全体を覆う円筒状の被覆部と、該被覆部の外周面から該被覆部の内部空間まで貫通し、緊結部が通過可能とされていると共に緊結部が取り付けられたシャフトを嵌入可能な挿通孔とを備え、前記被覆部は、円筒状の両端部が開口していると共に、緊結部に装着した状態で、一方の端部が緊結部の楔の先端よりも延び出している」ことを特徴として主に構成されている。また、上記の構成に加えて、「前記被覆部の厚さを、５〜２０ｍｍの範囲内としている」ことを特徴としてもよい。
【０００８】
ここで、緩衝部材は、衝撃に対する緩衝性や応力に対して弾性変形可能な特性を有していればよく、例えば、発泡ポリエチレンや発泡ポリウレタン等の発泡材、ウレタンゴムやシリコンゴム等のゴム材などが挙げられる。
【０００９】
また、被覆部の厚さは５〜２０ｍｍの範囲内とすることが望ましく、これよりも厚いと邪魔になったり、使用し難くなったりするおそれがあり、これよりも薄いと十分な緩衝性を得られなかったり、耐久性が低くなったりするおそれがある。また、被覆部の色は、目に留まりやすい色であれば良く、緊結部を認識しやすくすることができる。
【００１０】
また、挿通孔は、弾性変形可能な範囲で、楔状の緊結部が通過可能な形状やサイズであればよく、形状としては、例えば、内形が円形状や多角形状等の孔や、十字状等の切り込みなどが挙げられる。一方、サイズとしては、緊結部が通過可能な大きさであればよい。
【００１１】
この足場材安全カバーの装着方法は、被覆部が緊結部の外周を覆うとともに、挿通孔を介してシャフトが外部へ伸びだした状態とすればよく、例えば、被覆部がパイプ状のものの場合、被覆部の長手方向と、足場材のシャフトの長手方向とがほぼ平行となる向きで、楔状の緊結部の先端を挿通孔に挿入させ、さらにその先端を被覆部の内部空間に沿って通過させることで、装着することができる。また、被覆部が板状の場合は、複数の挿通孔がほぼ一致するようにパイプ状に丸めた状態とし、その状態で、上記と同様に挿通孔に緊結部を挿入することで、装着することができる。
【００１２】
この足場安全カバーは、楔状の緊結部に装着されると、緊結部の長手方向に沿った外周全体が緩衝部材からなる被覆部によって覆われる。このとき、被覆部は、両端面が開口する状態となるが、楔の先端まで緊結部の外周を覆うため、緊結部の先端が被覆部から突出しない。また、挿通孔には、足場材のシャフトが位置した状態となり、足場材安全カバーが係止されて、保持された状態となる。
【００１３】
したがって、本発明の足場材安全カバーによれば、楔緊結式足場における露出した楔状の緊結部を緩衝部材で覆うことが可能となり、作業者や建築資材などが楔状の緊結部へ当接しても、怪我をしたリ、破損したりするのを防止することができる。
【００１５】
ここで、嵌入状態とは、挿通孔により、シャフトが挟持される状態である。これは、挿通孔がシャフトの外径より小さく形成された場合が該当し、シャフトを通した際に、挿通孔が弾性変形して広がるとともに、シャフトに対して弾性応力が発生している状態である。
【００１６】
したがって、本発明の足場材安全カバーによれば、足場材安全カバーを装着した場合、挿通孔がシャフトを挟持するため、足場材安全カバーの位置が固定され、使用時のずれや脱落を防止して、装着時の状態を保持することができる。
【００１８】
ここで、円筒状の内部空間は、弾性変形可能な範囲で緊結部が収納できる大きさであれば良く、楔状の緊結部の最も太い部分と同程度のサイズにすることが望ましい。このサイズにすることで、無理な弾性変形をすることの無いスムーズな収納ができ、また、緊結部と被覆部とが内接するため、被覆部は位置ずれし難くなる。
【００１９】
したがって、本発明の足場材安全カバーによれば、被覆部を板状のものとした場合と比較して、被覆部を丸める必要がなく、装着しやすくすることができる。また、装着時には、楔状の緊結部の外周が滑らかな曲面となるため、引っ掛かり難い状態とすることができる。さらに、押出成型の材料を加工して製作することも可能となるため、安価に製造することができる。
【００２１】
本発明の足場材安全カバーによれば、被覆部の端部が楔の先端より延びだしているため、楔の先端に衝突する危険性を低減できる。また、楔の先端から被覆部の端部までは、芯（緊結部）がない状態となるため、ここに引っ掛けた場合は、被覆部が曲折し、即座に引っ掛かりが外れる状態を得ることができる。
【発明の効果】
【００２２】
本発明の効果として、楔緊結式足場における露出した楔状の緊結部を緩衝部材で覆うことが可能となり、作業者や建築資材などが楔状の緊結部へ当接しても、怪我をしたリ、破損したりするのを防止することができる。
【図面の簡単な説明】
【００２３】
【図１】本実施形態の足場材安全カバーを示す斜視図である。
【図２】足場材安全カバーを緊結部に装着した状態を示す縦断面図である。
【図３】足場材安全カバーを緊結部に装着した楔緊結式足場の構成を示す斜視図である。
【図４】足場材安全カバーを緊結部に装着する状態を示す縦断面図である。
【図５】足場材安全カバーの他の例を示す正面図である。
【図６】図５の足場材安全カバーの装着形態を示す斜視図である。
【発明を実施するための形態】
【００２４】
以下、本発明の一実施形態である足場材安全カバー７について、図１乃至図６に基づいて説明する。ここで、図１は本実施形態の足場材安全カバーを示す斜視図であり、図２は足場材安全カバーを緊結部に装着した状態を示す縦断面図であり、図３は足場材安全カバーを緊結部に装着した楔緊結式足場の構成を示す斜視図であり、図４は足場材安全カバーを緊結部に装着する状態を示す縦断面図であり、図５は足場材安全カバーの他の例を示す正面図であり、図６は図５の足場材安全カバーの装着形態を示す斜視図である。
【００２５】
本実施形態の足場材安全カバー７は、楔緊結式足場１における露出された楔状緊結部３に装着するものであり、楔状緊結部３が露出される足場の形態としては、図３に示すように、片持ちが可能なブラケット２を用いて、踏板１１等を片持ち構造で支える場合が相当する。このブラケット２は、水平方向に延びたシャフト４と、シャフト４の両端に取り付けられ、下端が尖った楔状緊結部３と、シャフト４の下部に設けられた支柱支え１３とを備えている。
【００２６】
さらに、具体的な構成について説明すると、本実施形態の足場材安全カバー７は、図１に示すように、楔状緊結部３の長手方向に沿った外周全体を覆う円筒状の被覆部８と、被覆部８の内部空間Ｓと、被覆部８の外周面から内部空間Ｓまで貫通し、シャフト４を嵌入可能な挿通孔９とを備えている。
【００２７】
因みに、本例の足場材安全カバー７は、弾性変形可能な発泡ポリエチレンにより形成され、円筒状の被覆部８は、内径が約４２ｍｍ、外径が約６０ｍｍ及び全長が約２００ｍｍであり、被覆部８の厚みは約９ｍｍである。また、挿通孔９は、円筒の中心軸に対し、直角方向から被覆部８の外周面に形成され、その中心位置は、被覆部８の一方の端面から約１４０ｍｍの位置に形成してある。また、内部空間Ｓは、被覆部８において、挿通孔９に近い上端面５から他端の下端面６まで貫通している。なお、各寸法は、一般に使用される楔緊結式足場材の寸法から設定しており、シャフト４として使用されるパイプ状の鋼管は、一般に外径が４２．７ｍｍの鋼管が多く用いられているため、内部空間Ｓ及び挿通孔９の内径はこれよりも小さい寸法としている。また、楔状緊結部３は、全長が約１２０ｍｍ程度、シャフト４の軸中心から楔先端１０までの距離が約１００ｍｍ程度であるため、被覆部８の両端の延びだし代を約４０ｍｍとして、被覆部８の全長及び挿通孔９の位置を設定している。
【００２８】
次に、本実施形態の足場材安全カバー７の装着方法について、主に図４に基づいて説明する。装着する場合は、楔先端１０が挿通孔９を通って、下端面６側へ向かうように、被覆部８の内部空間Ｓ内に挿入して装着する。このとき、楔状緊結部３において、シャフト４と楔状緊結部３の内角点Ｐ１から楔状緊結部３の角点Ｐ２までの対角線を切断線とする断面形状は、シャフト４の外径より大きくなる。このため、挿通孔９が大きくなるように弾性変形させて楔状緊結部３を通過させる。通過後は、弾性変形は復元されるため、挿通孔９によってシャフト４が挟持され、足場材安全カバー７がより外れ難くなる。
【００２９】
次に、本実施形態の足場材安全カバー７の装着状態について、主に図２及び図３に基づいて説明する。足場材安全カバー７は、図３に示すように、楔緊結式足場１において、露出された楔状緊結部３に装着される。このとき、図２に示すように、シャフト４は挿通孔９に嵌入されている。このため、被覆部８と楔状緊結部３との間に隙間があっても、足場材安全カバー７が位置ずれることが無く、被覆状態を保持する。また、足場材安全カバー７は、上側に上端面５、下側に下端面６が位置し、足場材安全カバー７の上端面５及び下端面６は、楔状緊結部３の楔上面１４及び楔先端１０より延びだしており、装着に多少のずれがあっても、楔状緊結部３がとび出すことはない。
【００３０】
以上示したように、本実施形態の足場材安全カバー７によれば、楔緊結式足場１における露出した楔状緊結部３を緩衝部材で覆うことが可能となり、作業者や建築資材などが楔状緊結部３へ当接しても、怪我をしたリ、破損したりするのを防止することができる。
【００３１】
さらに、本実施形態の足場材安全カバー７は、弾性変形可能な特性を有するとともに、挿通孔９の内径がシャフト４の外径より小さいため、装着時には、挿通孔９によってシャフト４を挟持することができ、装着ずれや脱落を防止することができる。
【００３２】
さらに、本実施形態の足場材安全カバー７は、シンプルな円筒状であるため、押出成型したものを所定寸法に切断し、外周面に挿通孔９を穿設することで形成することができ、型製作などの高額な初期投資が不要となり、安価に製作することができる。加えて、外周面は曲面であるため、足場材安全カバー７自体が引っ掛かり難いものとすることができる。
【００３３】
さらに、本実施形態の足場材安全カバー７は、被覆部８が楔先端１０より延びだしているため、楔先端１０に衝突し難く、また、下端面６近傍に引っ掛けた場合は、延びだし部分が曲折し、引っ掛かりは外れやすい状態が得られ、引っ掛かりによる事故を低減することができる。
【００３４】
また、本実施形態の足場材安全カバー７は、発泡ポリエチレンを用いているので、重量においても極めて軽量であるため、持ち運びや装着の作業性が良く、加えて、高所から落下しても安全を確保することができる。
【００３５】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００３６】
すなわち、本実施形態の足場材安全カバー７では、緩衝部材として発泡ポリエチレンを用いたものを示したが、これに限定されるものではなく、発泡ポリウレタン等の他の発泡材、ウレタンゴムやシリコンゴム等のゴム材などを用いても構わない。例えば、ウレタンゴムやシリコンゴムを用いることで弾性変形可能な範囲を広くすることができ、足場材安全カバー７の装着可能な形状範囲を広くすることができる。また、足場材安全カバー７の少なくとも表面に着色処理したものであっても構わない。例えば、黄色や蛍光色に着色することで楔状緊結部３の存在位置が明確に示され、作業者は容易に位置を認識することができる。また、夜光塗料を塗布した場合には、薄暗い箇所であったり、夜間などの作業であっても、楔状緊結部３の位置を示すことができ、安全性を高めることができる。
【００３７】
また、本発明の実施形態ではないが、足場材安全カバー７の上端面５或いは上下両端面が閉鎖されたものであってもよく、これにより、シャフト４から上方へ突出した突起を有した足場材の安全性を高めることができる。
【００３８】
さらに、本発明の実施形態ではないが、足場材安全カバー７を、図５及び図６に示すように、板状のものであっても構わない。
【００３９】
この場合の足場材安全カバー７について説明する。この足場材安全カバー７は、板状で四角状に形成された被覆部８と、所定位置に挿通孔９が二箇所備えられている。
【００４０】
この場合の足場材安全カバー７の装着について説明する。装着時には、図６に示すように、この板状のカバーを円筒状に丸め、二箇所の挿通孔９を重ね合わせた状態で、楔状緊結部３を挿通孔９に通し、丸めて形成された内部空間Ｓに楔状緊結部３を収納させる。
【００４１】
したがって、足場材安全カバー７は、装着時には円筒状となるため、上述した本実施形態の効果と同様の作用効果を奏するとともに、非装着時では、シンプルな板状となるため、重ねて保管できるとともに、持ち運びやすくすることができる。なお、着色処理をしても良い。
【符号の説明】
【００４２】
１  楔緊結式足場
２  ブラケット
３  楔状緊結部
４  シャフト
５  上端面
６  下端面
７  足場材安全カバー
８  被覆部
９  挿通孔
１０  楔先端
１１  踏板
１２  支柱
１３  支柱支え
１４  楔上面
Ｐ１  内角点
Ｐ２  角点
Ｓ  内部空間
【先行技術文献】
【特許文献】
【００４３】
【特許文献１】特表２００４−５２２０１７号公報
【特許文献２】特開２００４−１８３３０７号公報
【図１】
0005596332.tif 000002
【図２】
0005596332.tif 000003
【図３】
0005596332.tif 000004
【図４】
0005596332.tif 000005
【図５】
0005596332.tif 000006
【図６】
0005596332.tif 000007